(57)【要約】【課題】長期間寝ることが必要な人にとっては、寝ていても快適なこと、足は何物にも圧迫されずに動き易い環境である事が必要です。しかし、布団の重さが足を圧迫し、布団の中は密着度が高くて湿気や臭気が滞り易い所です。又、衰弱した足は自分で動かし辛く、用具を使用して足を強制的に固定されたり動かされたりすると骨折や筋肉の損傷等の危険がある為に使用することが出来ません。【解決手段】上記課題を解決する為に、かかとの床ずれ防止材（６）を組み込んだ支柱のみによる略プリズム形状の支柱枠（１）を布団に中に置くことで、支柱枠内に空間が生まれ密着による問題点が改善され、かかと一点に集中していた足の重量も分散されます。又、この支柱枠（１）に足裏もたれ袋（３）を吊り下げて使用すると、足裏はもたれ袋に支えられた状態で刺激され、足はぶらぶらと動き足首は常に微動している状態を保つことが出来るブランコの原理を応用した足の介護用具。【選択図】図３
2013141599.tif 000002
【特許請求の範囲】
【請求項１】
寝ている状態で両足首から足先までが差し込める空間を確保し、面構造のない支柱のみで、ブランコの支柱を応用した略プリズム形状の支柱枠（１）を組み立て、両足首が直接触れる底辺の一支柱にかかとの床ずれ防止材（６）を取り付け、上辺支柱に請求項２に示す足裏もたれ袋（３）を吊り下げる事も出来る構造を特徴とする足の介護用具。
【請求項２】
請求項１のかかとの床ずれ防止材（６）を取り付けた支柱枠（１）の上辺支柱に、細長い形状の足裏もたれ袋（３）を長さ調整が出来る２本の吊り紐（２）で吊り下げ、もたれ掛けた両足裏が常に足裏もたれ袋（３）に支えられながら、両足首は空間の中でぶらぶらと動くことが出来るブランコ原理を応用した構造を特徴とする足の介護用具。
【発明の詳細な説明】
【技術分野】
【０００１】  本考案は長期間に亘り寝ることが必要な人の為に、快適な布団内での生活が営める環境を提供し、寝ていることが原因で発症する足の拘縮や衰えを防止する為の機能を備え、衰弱している足であっても安全に使用出来る足の介護用具に関するものです。
【背景技術】
【０００２】  布団の中で寝ていると掛布団の重さで足全体に圧迫感を感じます。特に足先は掛布団で直接上から押しつけられる為に足首が伸びた尖足状態となり、そのままの状態が長く続くと尖足状態のままで拘縮してしまいます。拘縮してしまうと足首が曲がらない為に立ち上がることが出来なくなります。【０００３】    現在は布団の中で、衰弱した足を支える方法として、足周辺に緩衝材や、座布団を折り曲げた物等を応急的に添えて足をガードした状態で支える方法が一般的です。【０００４】  足の拘縮や筋肉の衰えを防止するためには頻繁に足を動かすことが必要ですが、長い間寝ている人は足が衰弱している為に自分では足を動かすことが難しい上、現在商品化されている用具を使用して強制的に足を固定されたり動かされたりすると骨折や筋肉損傷の危険がある為にほとんどの人が使用していません。【０００５】  強制的な用具を使用すると危険がある人は、足のマッサージを受けたり、介助者にベッドに座らせてもらい体を支えてもらいながら足を床面に降ろし足裏の感覚を取り戻す等、人手による足の介護を受ける方法しかありません。【０００６】  従来の介護用具は強制的に足を固定する物、足を動かす物等、その利用目的だけを考慮したもので障害者の障害度や環境を考慮した用具ではないような気がします。寝た状態で足を動かせる用具にしても、立ち生活をしている人と寝たきり生活をしている人用とは区別されていない。【０００７】  第２の心臓と言われている足を動かさないで寝ている人は血液循環も悪くなり多くの人は足が冷たい。【０００８】  以下の特許文献は用具の目的が似ている私が以前申願したもので、かかとの床ずれ防止装置が付いた、足裏を刺激し、脱臭剤、乾燥剤等も袋に入れて足を支える傾斜板式の介護用具があります。
【先行技術文献】
【特許文献】
【０００９】
【特許文献１】特開２００５−１０３２１
【発明の概要】
【発明が解決しようとする課題】
【００１０】  人手による介護は人手確保の制約を受けるので、１日のほとんどの時間が足は放置されたままの状態となります、そこで、介護者が付き添っていなくても利用できる介護用具がどうしても必要です。【００１１】  寝たきり状態の人の最も発症し易い尖足拘縮の一因である直接足先に掛かる布団の重さを皆無にする必要があります。【００１２】  布団の重さは、足先だけではなく足周辺全体も圧迫されている感覚があり、この圧迫感を少しでも低減し快適な寝心地環境を作りたい。そこで、布団を支える用具は人の重さと揺れに耐えられるブランコの支住構造を参考にするのが最適と思われます。【００１３】  寝ている足を固定し支える為に足周辺に置いている緩衝材等は足の動きを制限し、湿気や悪臭を滞らせる原因となっている為に、緩衝材等を取り除き空間の中で足が支えられるようにすべきです。【００１４】  長期間寝ているだけだと気分までが病気になってしまいます。そこで、立っている時の感覚と刺激を思い出させる為に、両足裏を常に物体に触れさせて床面に足で立っている感覚を脳に伝達できる状態を作りたい。【００１５】  特開２００５−１０３２１１の考え方は本件申願と似ていますが大きな問題点が３つあり商品としての価値が薄く商品化することが出来ませんでした。
問題点の一つは、傾斜板方式の為に、足裏を傾斜板に乗せると足の押力で固定用具全体の位置がずれ易く、一度ずれた用具は元の位置には戻ることはありません。その為に足裏と傾斜板が引き離されたままの状態となります。二つ目の問題点は、もしも足の押力で用具がずれなかったとしても、固定している傾斜板にもたれ掛けている足は横からの支えがない為に安定性がなく、足自体が横方向にずれ落ちてしまいます。三つ目の問題点は足を支えている傾斜板は定期的に角度の変更は出来ますが固定されたままの角度で動きが全く無い為に足の運動にはならず足の拘縮予防に大きな効果が期待できません。
この３つの問題点を解決する必要があります。【００１６】  足裏が常に足裏を支える物体から離れないようにする為には、足裏を縦と横の両方向から支え、足裏の押力に対しては、押された側の物体がその押力に応じた分だけ移動し、接触面の圧力が弱くなるとその弱くなった圧力分だけ元の位置方向に戻る構造にすることです。【００１７】  長時間に亘り寝ることが必要な人が使用する足の介護用具は、今まで述べてきたように湿気、臭い、保温等布団の中を快適な生活環境にして、足には無理な圧迫が掛からず、少しでも動いた足が何物にも邪魔されない空間で支えられ、その空間で動くことが出来て、骨折や、筋肉損傷の危険がない等、多くの条件を一つの用具に組み込んだ介護用具でなければならないと思います。【００１８】  寝たきりの方で一番大切な事は、足首の拘縮を予防することです。足首は常にリラックスした状態にして、足裏を支えてもらいながらも足首は常に微動している状態にすることが望ましい。【００１９】  多くの方に使用してもらう為に、運搬効率の良い組み立て方式を採用し使用者が簡単に組み立てられる構造の用具を目指す。
【課題を解決するための手段】
【００２０】  寝ている足部に掛かる布団の重さを支える為に、両足首から足先までが差し込める空間を確保し、面構造のない支柱のみで、ブランコの支柱を応用した略プリズム形状の支柱枠（１）を組み立て、差し込んだ両足首が直接触れる底辺の一支柱にかかとの床ずれ防止材（６）を取り付け、上辺支柱に下記に示す足裏もたれ袋（３）を吊り下げる事も出来る構造を特徴とする足の介護用具。【００２１】  上記かかとの床ずれ防止材（６）を取り付けた支柱枠（１）の上辺支柱に、細長い形状の足裏もたれ袋（３）を長さ調整が出来る２本の吊り紐（２）で吊り下げ、もたれ掛けた両足裏が常に足裏もたれ袋（３）に支えられながら、両足首は空間の中でぶらぶらと動くことが出来るブランコ原理を応用した構造を特徴とする足の介護用具。【００２２】  足裏もたれ袋（３）の中に自分の障害度に適した屈伸材を充填できるように充填物挿入口（５）を設け、袋の裏側に裏ポケット（４）を取り付けた足裏もたれ袋。
【発明の効果】
【００２３】  支柱枠とかかとの床ずれ防止材を組み合わせた用具だけでも使用ができるし、その支柱枠に足裏もたれ袋を吊り下げて使用する事も出来るので、障害度に合わせた利用が可能です。【００２４】  支柱枠が掛け布団を支えてくれるので足への圧迫感が和らぎ従来よりも快適に寝ることが出来るし、足先への布団の圧迫が皆無になることで、足先が上から圧迫されることによる尖足拘縮の予防ができます。【００２５】  支柱枠底辺の前面に取り付けられたかかとの床ずれ防止材の厚みでかかとが少し浮き上がった状態となり床ずれ防止が出来る上、従来はかかとの一点に集中していた足と脚の重量が脚の部分にも平均的に分散した状態となるので寝ている足が楽になる上、従来足に装着していた床ずれ防止用品は不要となります。【００２６】  両足を差し込んでいる支柱枠内は空間になるので、足に密着する物がなく、足周辺に滞っていた湿気や臭いが改善され、足自体もリラックス状態となり動きやすい環境になります。【００２７】  冷えている足の保温対策としては、掛け布団と支柱枠（１）の間に充電式のひざ掛け布を置く、又は足裏もたれ袋の裏ポケットにミニカイロを入れる等で対応が取れ、空間全体が平均的に保温される為に従来の局所保温より快適です。【００２８】  図１の支柱枠（１）とかかとの床ずれ防止材（６）を組み合わせた介護用具は、一般の人でも、足に布団の圧迫感を受けない上に、かかと一点に足と脚の重量が集中しないので快適睡眠用の用具としても利用出来ます。【００２９】  図４使用概略図で示すように、足裏もたれ袋（３）に両足裏をもたれ掛けても、足の押力が直接支柱枠に伝わらないので、支柱枠が布団の中でずれることもなく、足の押力でもたれ袋中央部が凹み、その凹み形状が足裏をしっかりと横と下から支えてくれる上、、もたれ袋の位置は足の押力で押されてもブランコ原理が働いて押力に応じて移動するので両足裏がもたれ袋（３）から離れることもありません。又、足裏が常にもたれ袋に接触し刺激を受けることで立ち生活感覚を得ることが出来て元気な気分になれます。【００３０】  足裏もたれ袋（３）はブランコ構造なので、もたれ掛けている両足の足首は常にぶらぶらと不安定で微動している状態となり、長い間寝ている人が欠かせない足首の柔軟運動をしているのと同じ効果が得られます。【００３１】  足裏もたれ袋の後面に取り付けた裏ポケットに、乾燥剤、消臭剤、臭い袋、保温剤等お好みの物を入れて楽しむことが出来ます。【００３２】  横向けになって寝る時は、足裏をもたれ袋（３）から足を外せば従来の用具を使用していない状態に戻ります。もたれている状態ともたれていない状態では足首の状態が異なるので、それを繰り返すことで足首の拘縮予防に一層の効果が発揮できます。【００３３】  容積的には少し大きな用具となりますが、支柱枠を使用者が組み立てることが出来る組み立て構造にすることで持ち運びがし易く、運送方法も簡単になります。
【図面の簡単な説明】
【００３４】
【図１】布団の重量を支える組み立て式支柱枠
【図２】吊り紐の付いた足裏もたれ袋
【図３】組み立て完成図
【図４】使用概略図
【発明を実施するための形態】
【００３５】  支柱枠（１）は、ブランコの支柱を参考にし、面構造が無く支柱のみで強度と安定性が最も効率の良い構造とする為に、図１に示すように、４種類の長さが違う計９本の支柱を正面から見た形が台形、側面から見た形が三角形、底面が長方形となる構造で、各支柱が組み合わさる所は２種類の計６個の支柱接続部品（７）を使って、寝ている状態の両足首から足先までが差し込める空間を確保した支柱枠（１）を組み立て、台形底辺の前面横支柱の上全体にかかとの床ずれ防止材（６）を取り付ける構造で、この支柱枠（１）の上辺支柱に足もたれ袋（３）を吊り下げる事も出来る構造とする。支柱は丸棒形状が好ましく材質には木材、プラスチック等軽くて、強度があり、屈伸性が低く、加工し易く、冷温にならない物を使用し、流通効率を良くするために使用者が組み立てて使用出来るように考えた組み立て式の足の介護用具。
【００３６】  かかとの床ずれ防止材（６）には毛のように柔らかく、温かい、皮膚感触の良い物でかかと部を支える厚さがある物を使用し、差し込んだ足のかかと位置の手前に位置するように取り付ける。かかとは図４に示すように床ずれ防止材の上に乗るのではなく浮き上がった状態になるようにする。
【００３７】  上記足の介護用具である支柱枠（１）に組み合わせて取り付ける足裏もたれ袋（３）には自分の症状に合わせて好みの充填材が充填できるように充填物挿入口（５）を設け、ポリエチレンシート、アルミシート、タオル地等軽くて暖かく弾力があり伸縮性のある材質の物を細長く丸めて袋全体に挿入することが出来るようにする。又、もたれ袋裏側に裏ポケット（４）を何個か取り付け、消臭剤、乾燥剤、臭い袋、保温剤等お好みの物を入れて楽しめるようにする。足裏もたれ袋には２本の吊り紐（２）を取り付けて支柱枠（１）上辺に、細長い形状の足裏もたれ袋（３）中央部に両足がもたれ掛けられる間隔を確保しもたれ袋の両端が吊り紐から少しはみ出す位置で吊り下げられるようにする。尚、２本の吊り紐（２）は長さ調整が出来る機能を有し使用者の障害度による足首の角度を考慮して吊り高さを調整出来るようにする。支柱枠（１）と足裏もたれ袋（３）を組み合わせることで図３に示すようなブランコ原理を利用した足の介護用具が完成する。
【符号の説明】
【００３８】（１）支柱枠
（２）吊り紐
（３）足裏もたれ袋
（４）裏ポケット
（５）充填物挿入口
（６）床ずれ防止材
（７）支柱接続部品
【図１】
2013141599.tif 000003
【図２】
2013141599.tif 000004
【図３】
2013141599.tif 000005
【図４】
2013141599.tif 000006